(57)【特許請求の範囲】
【請求項１】
埋設されたヒータによって加熱され、スチームを発生させる気化室を有するベースと、スチームを噴出させる複数のスチーム穴と、前記ベースの温度を感知する熱受感部と、前記熱受感部で感知された温度に応じて前記ヒータへの通電を制御して前記ベースの温度を調節する温度制御手段と、前記気化室に供給する水を蓄える水タンクと、前記水タンクから水を前記気化室に滴下するノズルと、前記気化室に配され前記ノズルから滴下する水を受ける滴下部と、前記ノズルから滴下された水を前記熱受感部に導くガイドリブとを備え、前記ガイドリブは、前記熱受感部の後方部から前方に鋭角に延出させたスチームアイロン。
【発明の詳細な説明】
【技術分野】
【０００１】
本発明は、衣類等のしわ伸ばしに用いられるスチームアイロンに関するものである。
【背景技術】
【０００２】
図３は、従来のこの種のスチームアイロンの内部構造を示す平面図で、ベースの温度を感知する熱受感部１３が気化室１４の外側に設けられているのが一般的であった（例えば、特許文献１参照）。
【特許文献１】特開平１１−２９０５９７号公報
【発明の開示】
【発明が解決しようとする課題】
【０００３】
スチームアイロンのスチーム発生のメカニズムを説明すると、ヒータによって加熱された気化室に水が滴下することにより、水が気化されスチームを発生する。そして気化室の温度が設定した温度以下になると、熱受感部が熱を感知してヒータに通電し気化室が再加熱され、設定温度になるとヒータへの通電を遮断する。しかしながら、従来のスチームアイロンでは、図３のように熱受感部１３が気化室１４の外側にあるため、スチームを発生させた時、熱受感部１３の応答性が不十分で、気化室１４の気化能力が不十分になり、安定したスチームを発生させることが困難になり、最悪の場合、スチーム穴から水漏れが発生するという課題があった。
【０００４】
本発明は、前記従来の課題を解決するもので、効率よく安定したスチームを発生させて、しわ伸ばしを効率よく仕上げられるスチームアイロンを提供することを目的とする。
【課題を解決するための手段】
【０００５】
前記従来の課題を解決するために、本発明のスチームアイロンは、埋設されたヒータによって加熱され、スチームを発生させる気化室を有するベースと、スチームを噴出させる複数のスチーム穴と、前記ベースの温度を感知する熱受感部と、前記熱受感部で感知された温度に応じて前記ヒータへの通電を制御して前記ベースの温度を調節する温度制御手段と、前記気化室に供給する水を蓄える水タンクと、前記水タンクから水を前記気化室に滴下するノズルと、前記気化室に配され前記ノズルから滴下する水を受ける滴下部と、前記ノズルから滴下された水を前記熱受感部に導くガイドリブとを備えたもので、気化室内にあるガイドリブによって、ノズルから滴下された水が熱受感部へ導かれることにより熱受感部の応答性がよくなるので、効率よく安定したスチ−ムを発生させることができ、しわ伸ばしを効率よく仕上げられるスチームアイロンを提供することができる。
【発明の効果】
【０００６】
本発明のスチームアイロンは、効率よく安定したスチームを発生させて、しわ伸ばしを効率よく仕上げることができる。
【発明を実施するための最良の形態】
【０００７】
第１の発明は、埋設されたヒータによって加熱され、スチームを発生させる気化室を有するベースと、スチームを噴出させる複数のスチーム穴と、前記ベースの温度を感知する熱受感部と、前記熱受感部で感知された温度に応じて前記ヒータへの通電を制御して前記ベースの温度を調節する温度制御手段と、前記気化室に供給する水を蓄える水タンクと、前記水タンクから水を前記気化室に滴下するノズルと、前記気化室に配され前記ノズルから滴下する水を受ける滴下部と、前記ノズルから滴下された水を前記熱受感部に導くガイドリブとを備え、前記ガイドリブは、前記熱受感部の後方部から前方に鋭角に延出させたもので、気化室内にあるガイドリブによって、ノズルから滴下された水及びスチームが熱受感部付近に留まる時間が長くなることによって熱受感部の応答性がよくなり、安定したスチームを提供することができ、効率よくアイロン掛けを行えるスチームアイロンを提供することができる。
【００１０】
以下、本発明の実施の形態について、図面を参照しながら説明する。なお、本実施の形態によって本発明が限定されるものではない。
【００１１】
（実施の形態１）
図１は本発明の第１の実施の形態におけるスチームアイロンのベースの平面図、図２は、同スチームアイロンの要部断面図である。
【００１２】
図１、図２において、スチームアイロンのアイロン本体１は、埋設されたヒータ２により加熱されるベース３と、ベース３の上面に設けられたスチームを発生させる気化室４と、ベース３の下面に気化室４から発生したスチームを噴出させるスチーム穴５と、ベース３の温度を感知する熱受感部６と、ヒータ２への通電を制御してベース３の温度を制御する温度制御手段７と、気化室４に水を供給する水タンク８と、水タンク８から水を気化室４に滴下するノズル９と、気化室４内に配され前記ノズル９から滴下される水を受ける滴下部１０と、滴下部１０から滴下された水を熱受感部６に導く第１のガイドリブ１１と第２のガイドリブ１２とを備えている。
【００１３】
第１のガイドリブ１１は、気化室４の側方の側壁から気化室４の中央部に向けて延出させ、その先端は、略熱受感部６方向に向けている。第２のガイドリブ１２は、熱受感部６の後方部から前方に鋭角に第１のガイドリブ１１と略平行に、かつ、第１のガイドリブ１１の後方に延出させ、熱受感部６とで構成する溜り部に、第１のガイドリブ１１により導かれた水あるいは気化されたスチームが効率よく導かれ、熱受感部６付近に留まる時間が長くなるようにしている。
【００１４】
なお、その他の構成は、従来よく知られたスチームアイロンと同様であるので、詳しい説明は省略する。
【００１５】
以上のように構成されたスチームアイロンの動作、作用について、以下に説明する。なお、スチームアイロンとしての基本的な動作は、従来よく知られたものと同様であるので、詳しい説明は省略する。
【００１６】
ベース３が水の気化温度に加熱されているとき、ノズル９から滴下部１０を通って気化室４に水が浸入し、水が気化されスチームを発生させることができる。このとき気化室４内にある第１のガイドリブ１１によって、ノズル９から滴下された水が熱受感部６へ導かれることにより熱受感部６の応答性がよくなるので、効率よく安定したスチ−ムを発生させることができ、しわ伸ばしを効率よく仕上げられるスチームアイロンを提供することができる。
【００１７】
また、第２のガイドリブ１２を熱受感部６の後方部から前方に鋭角に延出させることにより、熱受感部の応答性がよくなり、安定したスチームを提供することができ、効率よくアイロン掛けを行えるスチームアイロンを提供することができる。
【産業上の利用可能性】
【００１８】
以上のように、本発明にかかるスチームアイロンは、滴下された水を熱受感部に導くガイドリブを配設したことにより、安定したスチームを提供することができ、しわ伸ばしを効率よく仕上げることができるもので、家庭用、業務用のスチームアイロンに広く適用できる。
【図面の簡単な説明】
【００１９】
【図１】本発明の実施の形態１におけるスチームアイロンのベースの平面図
【図２】同スチームアイロンの要部断面図
【図３】従来のスチームアイロンのベースの平面図
【符号の説明】
【００２０】
１    アイロン本体
２    ヒータ
３    ベース
４    気化室
５    スチーム穴
６    熱受感部
７    温度制御手段
８    水タンク
９    ノズル
１０  滴下部
１１  第１のガイドリブ（ガイドリブ）
１２  第２のガイドリブ（ガイドリブ）
【図１】
0004544193.tif 000002
【図２】
0004544193.tif 000003
【図３】
0004544193.tif 000004